【手続補正書】
【提出日】平成17年12月1日(2005.12.1)
【手続補正１】
【補正対象書類名】明細書
【補正対象項目名】請求項１
【補正方法】変更
【補正の内容】
【請求項１】  炎症疾患の予防および治療のための製剤であって、
下記一般式（Ａ）
【化１】
2001525340.tif 000001
〔式中、ＲA 〜ＲF は種々の組み合わせおよび表示でアルキルＣ1 〜Ｃ4 、−（ＣＨ2 ）n −（ｎは３、４、５である）、ビニル重合性基であり、Ｒ6 は個々またはいずれかの組み合わせでアルキルＣ1 〜Ｃ4 、Ｈ、ＯＨまたは付加酸化により得られる酸素基である〕の脂肪族アミンモノマーを個々にまたは組み合わせとして含む重合混合物中において、０．０１〜１０重量％の開始剤の存在下にラジカル重合を行うことにより製造される可溶性ポリマーもしくはコポリマー；
下記一般式（Ｂ）
【化２】
2001525340.tif 000002
〔式中、Ｒ1 〜Ｒ4 はアルキルＣ1 〜Ｃ4 、−（ＣＨ2 ）n −（ｎは３、４、５である）であり、Ｒ6 は個々にまたはいずれかの組み合わせでアルキルＣ1 〜Ｃ4 、Ｈ、ＯＨまたは付加酸化により得られる酸素基であり、そしてＷは
【化３】
2001525340.tif 000003
（Ｘは
【化４】
2001525340.tif 000004
である）、
【化５】
2001525340.tif 000005
（Ｘは
【化６】
2001525340.tif 000006
である）、および−Ｏ−，−ＯＣＨ2 −（Ｒ1 〜Ｒ4 は１個の重合性ビニル基を含む基である）を含む群から選ばれる〕の環式立体障害アミンのモノマーから０．０１〜１０重量％の開始剤の存在下にラジカル重合を行うことにより製造される可溶性ポリマーもしくはコポリマー；
下記一般式（Ｆ）
【化７】
2001525340.tif 000007
〔式中、ＲA 〜ＲF は種々の組み合わせおよび表示のアルキルＣ1 〜Ｃ4 、−（ＣＨ2 ）n −（ｎは３、４、５である）、ヒドロキシアルキル、アミノアルキル、カルボキシアルキル（ハロゲン化物、活性化エステル、アジ化物）、イソシアナトアルキルであり、Ｒ6 は個々にまたはいずれかの組み合わせでアルキルＣ1 〜Ｃ4 、Ｈ、ＯＨまたは付加酸化により得られる酸素基である〕の二官能性立体障害アミンの重縮合を行うことにより製造される可溶性ポリマー；
下記一般式（Ｇ）
【化８】
2001525340.tif 000008
〔式中、Ｒ1 〜Ｒ4 はアルキルＣ1 〜Ｃ4 、−（ＣＨ2 ）n −（ｎは３、４、５である）、ヒドロキシアルキル、アミノアルキル、カルボキシアルキル（ハロゲン化物、活性化エステル、アジ化物）、イソシアナトアルキルであり、Ｒ6 は個々にまたはいずれかの組み合わせでアルキルＣ1 〜Ｃ4 、Ｈ、ＯＨまたは付加酸化により得られる酸素基であり、そしてＷは
【化９】
2001525340.tif 000009
（Ｒ1 〜Ｒ4 はヒドロキシアルキル、アミノアルキル、カルボキシアルキル（ハロゲン化物、活性化エステル、アジ化物）、イソシアナトアルキルである）、−ＣＨ（Ｘ）−、−ＣＨ（Ｘ）ＣＨ2 −
（Ｘは
【化１０】
2001525340.tif 000010
（ｎは１〜１０であり、ｍは２〜１０である）である）の基から選ばれる〕
【化１１】
2001525340.tif 000011
（式中、Ａ、ＢはＯＨ、ＮＨ2 、ＣＯＯＨ（ハロゲン化物、活性化エステル、混合無水物、アジ化物）、ＮＣＯである）の二官能性立体障害アミンの重縮合により製造される可溶性ポリマーまたはコポリマー；
一般式（Ｇ）の二官能性環式立体障害アミンと、０．１〜１５重量％の量（合計の重合混合物を基準）の、下記一般式（Ｈ）
【化１２】
2001525340.tif 000012
〔式中、Ｒ1 〜Ｒ4 はアルキルＣ1 〜Ｃ4 、−（ＣＨ2 ）n −（ｎは４または５である）、ヒドロキシアルキル、アミノアルキル、カルボキシアルキルまたはその反応性誘導体であり、Ｒ6 は個々にまたはいずれかの組み合わせでアルキルＣ1 〜Ｃ4 、Ｈ、ＯＨまたは付加酸化により得られる酸素基であり、そしてＷは
−Ｏ−、−ＯＣＨ2 −、−ＮＨ−、−ＮＨＣＨ2 −（Ｒ1 〜Ｒ4 はヒドロキシアルキル、アミノアルキル、カルボキシアルキルである）、−ＣＨ（Ｘ）−、−ＣＨ（Ｘ）ＣＨ2 −（Ｘは−ＣＯＯＨ（ハロゲン化物、活性化エステル、混合無水物、アジ化物）、−ＮＣＯ、
【化１３】
2001525340.tif 000013
（ｎは２〜１０であり、ｍは１〜１０である）である）からなる群より選ばれる〕の一官能性環式立体障害アミン、下記一般式
【化１４】
2001525340.tif 000014
〔式中、Ｒ1 〜Ｒ4 は組み合わせまたはいずれかの表示のアルキルＣ1 〜Ｃ4 、−（ＣＨ2 ）n −（ｎは３〜５である）、ヒドロキシアルキル、アミノアルキル、カルボキシアルキルであり、Ｒ6 はいずれかの表示のアルキルＣ1 〜Ｃ4 、Ｈ、ＯＨまたは酸素基であり、そしてＷは−Ｏ−、−ＯＣＨ2 −、−ＮＨ−、−ＮＨＣＨ2 −、−ＣＨ（Ｘ）−、−ＣＨ（Ｘ）ＣＨ2 −（Ｘは
【化１５】
2001525340.tif 000015
（Ｒ1 、Ｒ2 はアルキルＣ1 〜Ｃ10である）である）である〕の立体障害アミンの誘導体との重縮合により製造される可溶性ポリマー；
遊離反応性基の−ＯＨ、−ＮＨ2 、−ＣＯＯＨ、−ＣＨＯ、オキシランを含むポリマー、コポリマー、天然化合物であって、ポリ（ビニルアルコール）、セルロース、（２−ヒドロキシエチル）セルロース、（カルボキシメチル）セルロース、寒天誘導体、ジヒドロキシアルカン誘導体、エチレングリコールもしくはプロピレングリコールのオリゴマーおよびポリマー、遊離のカルボキシル基、アミノ基またはアルデヒド基を含む天然もしくは合成のポリマーを用いた縮合により得られるポリマーからなる群より選ばれ、適切な立体障害アミンを用いたポリマー類似体化反応によるポリマーまたは天然化合物の付加官能化により製造されるものであり、前記立体障害アミンは、
【化１６】
2001525340.tif 000016
〔式中、Ｘは−ＮＨ2 、−ＯＨ、ハロゲン、−ＮＣＯ、−ＣＯＯＨ（ハロゲン化物、活性化エステル、混合無水物、アジ化物）、−ＣＨ2 Ｂｒであり、Ｒ6 は個々にまたは組み合わせでアルキルＣ1 〜Ｃ4 、Ｈ、ＯＨまたは付加酸化により得られる酸素基である〕の４−Ｘ−１−Ｒ6 −２，２，６，６−テトラメチルピペリジン、
下記一般式
【化１７】
2001525340.tif 000017
〔式中、ｎは１〜１０であり、Ｘはハロゲン、−ＯＨ、−ＮＨ2 、−ＣＯＯＨ（ハロゲン化物、混合無水物、活性化エステル、アジ化物）であり、Ｒ6 は個々にまたは組み合わせでアルキルＣ1 〜Ｃ4 、Ｈ、ＯＨまたは付加酸化により得られる酸素基である〕の４−〔（ｎ−Ｘ−アルキル）アミノ〕−１−Ｒ6 −２，２，６，６−テトラメチルピペリジン、
下記一般式
【化１８】
2001525340.tif 000018
〔式中、ｎは１〜１０であり、Ｘは−ＯＨ、−ＮＣＯ、−ＣＯＯＨ（ハロゲン化物、活性エステル、混合無水物、アジ化物）、−ＮＣＯであり、Ｒ6 は個々にまたは組み合わせでアルキルＣ1 〜Ｃ4 、Ｈ、ＯＨまたは付加酸化により得られる酸素基である〕の（１−Ｒ6 −２，２，６，６−テトラメチルピペリジン−４−イル）（ｎ＋１）−Ｘ−アルカノエート、
下記一般式
【化１９】
2001525340.tif 000019
〔式中、ｎは１〜１０であり、Ｘは−ＮＨ2 、ハロゲン、−ＯＨ、−ＮＣＯ、−ＣＯＯＨ（ハロゲン化物、活性化エステル、混合無水物、アジ化物）であり、Ｒ6 は個々にまたは組み合わせでアルキルＣ1-4 、Ｈ、ＯＨまたは付加酸化により得られる酸素基である〕の４−（ｎ−Ｘ−アルキル）−１−Ｒ6 −２，２，６，６−テトラメチルピペリジン、
下記一般式
【化２０】
2001525340.tif 000020
〔式中、Ｘは−ＮＨ2 、−ＯＨ、−ＮＣＯ、−ＣＯＯＨ（ハロゲン化物、活性化エステル、混合無水物、アジ化物）、−ＣＨ2 Ｂｒであり、Ｒ6 は個々にまたは組み合わせでアルキルＣ1-4 、Ｈ、ＯＨまたは付加酸化により得られる酸素基である〕の３−Ｘ−１−Ｒ6 −２，２，５，５−テトラメチルピロリジン、
下記一般式
【化２１】
2001525340.tif 000021
〔式中、ｎは１〜１０であり、Ｘは−ＮＨ2 、−ＯＨ、−ＮＣＯ、−ＣＯＯＨ（ハロゲン化物、活性化エステル、混合無水物、アジ化物）であり、Ｒ6 は個々にまたは組み合わせでアルキルＣ1-4 、Ｈ、ＯＨまたは付加酸化により得られる酸素基である〕の（１−Ｒ6 −２，２，５，５−テトラメチルピロリジン−３−イル）（ｎ＋１）−Ｘ−アルカノエート、
下記一般式
【化２２】
2001525340.tif 000022
〔式中、Ａは−ＣＯＯＨ（塩化物、混合無水物、活性化エステル、アジ化物）、グリシジルエステルであり、Ｒ6 は個々にまたは組み合わせでアルキルＣ1-4 、Ｈ、ＯＨまたは付加酸化により得られる酸素基である〕の２，２，５，５−テラメチル−２，５−ジヒドロピロール−３−カルボン酸または酸誘導体、
を含む群より選ばれる、
ポリマー、コポリマー、天然化合物、
からなる群より選ばれる、立体障害アミンの誘導体０．１〜９９．９重量％を含む製剤。
【手続補正２】
【補正対象書類名】明細書
【補正対象項目名】請求項５
【補正方法】変更
【補正の内容】
【請求項５】  アクリル酸およびメタクリル酸、アルキルアクリレートおよびメタクリレート、ヒドロキシアルキルアクリレートおよびメタクリレート、（アルキルオキシ）アルキルアクリレートおよびメタクリレート、（アシルオキシアルキル）アクリレートおよびメタクリレート、アクリルアミドおよびメタクリルアミド、置換Ｎ−アルキルアクリルアミドおよびＮ−アルキルメタクリルアミド、Ｎ−（ヒドロキシアルキル）アクリルアミドおよびＮ−（ヒドロキシアルキル）メタクリルアミド、１−ビニル−２−ピロリドン、ジアセトンアクリルアミド〔Ｎ−（１，１−ジメチル−３−オキソブチル）アクリルアミド〕からなる群より選ばれるビニルモノマーを含む重合混合物から製造される、請求項１〜４のいずれか１項記載の製剤。